(57)【特許請求の範囲】
【請求項１】
複数の踏ざんが架設された左右一対の前支柱と、複数の踏ざんが架設された左右一対の後支柱とを有し、該後支柱の略中段部位に配置されている踏ざんには渦巻状に巻いた鋼帯を内部に収納した鋼帯収納ケ−スを備え、前記鋼帯の外端に具備した係止部を、この鋼帯を備えた踏ざんと対向する前支柱の踏ざんに設けた係合受部に係合させ、前記前支柱と前記後支柱の下部が互いに拡縮可能に前記前支柱と前記後支柱の上部を枢着連結してなる折畳式踏台において、
前記鋼帯収納ケ−スは、内部を複数の隔壁により区切って複数の空間を形成し、これら隔壁及び前記鋼帯収納ケ−スの一方の側壁には左右方向の同一直線状に回転軸を遊挿し、
内端が前記回転軸に固着して巻き付けた鋼帯と、
内端が回転軸に固着し外端が前記鋼帯収納ケ−スの内壁に固着した渦巻ばねと、前記回転軸の一端に凹設した係止溝に係合する係止突起を内端に把持部を外端に設けて、前記鋼帯の伸縮動を停止し、該鋼帯を所望位置で固定するための係止棒とを、前記夫々の空間に各別に設けたことを特徴とする折畳式踏台。
【発明の詳細な説明】
【０００１】
【発明の属する技術分野】
本発明は、高所への物品の上げ降ろし若しくは高所での作業に、作業者が踏ざんに足を乗せて使用する多段タイプの折畳式踏台に関するもので、さらに詳しくは前後の対向する踏ざん間に鋼帯を架設固定して、前後支柱の下部間の拡開状態を安定的に保持するように改良された折畳式踏台に関する。
【０００２】
【従来の技術】
従来、この種の折畳式踏台は、実公平２−４０７２０号公報及び実用新案登録第３０６０３４８号に示すように、操作アームの両端を前後支柱の側壁に夫々枢着し、使用時には前後支柱下部を拡開し操作アームを最も水平に近い状態にして操作アームで前後支柱の拡開状態を安定化し、不使用時には、前後支柱を重合して折り畳み操作アームを最も起こした状態にしてコンパクト化を図ったものが提案されている。
【０００３】
又、一般に存在する折畳式踏台について図８を参照にして説明する。図８において、複数の踏ざん４が架設された左右一対の前支柱２と、複数の踏ざん５が架設された左右一対の後支柱３の上部を枢着により連結し、前支柱２と後支柱３の下部を前記枢着部を中心として拡縮自在に形成している。前支柱２の側壁には、先端をフックに形成した連結板２５の後端を軸２６を中心に回転自在に取りつけている。後支柱３の側壁には係止突起２７を側方に突出して設けている。そして使用時には、係止突起２７にフックを係止して連結板２５を前後支柱２、３間に架設し、前後支柱２、３の下部の拡開状態を安定的に保持する。不使用時には、係止突起２７よりフックを外し、前後支柱下部を互いに近接させて折り畳み収納する。
【０００４】
【発明が解決しようとする課題】
前記いずれの従来例も、前後支柱下部の拡開状態を安定的に保持する手段が、一定長さの操作アームや連結板を用い、これらアームや連結板の両端を前後支柱に枢着して架設することにより前支柱と後支柱の拡開状態を固定する構成であるので、前後支柱下部間の拡開状態が一定で、平坦面ではない凹凸や傾斜面等を有する場所に踏台を設置すると、前後支柱の接地面のうち一方の接地面は地表面に安定的に当接するが、他方の接地面は地表面に当接せず、踏台が不安定な状態で設置され、使用の際、作業者が踏台と共に転倒する事態が生じる場合があり危険であり、又、前後支柱下部の拡開状態が一定であるため、常に踏台の高さが一定で、さらに僅かな高さを必要とする作業においては、異なる高さの別の踏台を使用しなければならず、不経済であるという問題点があった。
【０００５】
又、図８に示すフックの係脱により踏台を折り畳み自在に形成したものについては、使用後の収納の際に係止突起にフックが喰い込んでフックが係止突起より外れにくく、特に傾斜面等の接地場所の形状が不安定な場所での使用には、フックの係脱作業に危険が伴う場合があるという問題点があった。
【０００６】
そこで、本発明は、前支柱と後支柱の踏ざん間に鋼帯を架設して前後支柱下部間の拡開状態を調整可能にし、鋼帯の位置を固定する手段を設けて、所望の拡開状態を安定的に保持可能にし、設置場所である地表面が設置に不適切な形状であっても支柱下部間の拡縮により支柱接地面が当接する適切な地表面を選択可能にすると共に、高さの微調整を可能にし、しかも設置作業性の向上を図り得る折畳式踏台を提供することを目的とする。
【０００７】
【課題を解決するための手段】
上記目的を達成するために本発明は、複数の踏ざんが架設された左右一対の前支柱と、複数の踏ざんが架設された左右一対の後支柱とを有し、該後支柱の略中段部位に配置されている踏ざんには渦巻状に巻いた鋼帯を内部に収納した鋼帯収納ケ−スを備え、前記鋼帯の外端に具備した係止部を、この鋼帯を備えた踏ざんと対向する前支柱の踏ざんに設けた係合受部に係合させ、前記前支柱と前記後支柱の下部が互いに拡縮可能に前記前支柱と前記後支柱の上部を枢着連結してなる折畳式踏台において、前記鋼帯収納ケ−スは、内部を複数の隔壁により区切って複数の空間を形成し、これら隔壁及び前記鋼帯収納ケ−スの一方の側壁には左右方向の同一直線状に回転軸を遊挿し、内端が前記回転軸に固着して巻き付けた鋼帯と、内端が回転軸に固着し外端が前記鋼帯収納ケ−スの内壁に固着した渦巻ばねと、前記回転軸の一端に凹設した係止溝に係合する係止突起を内端に外端には把持部を設けて、鋼帯の伸縮動を停止し、該鋼帯を所望位置で固定するための係止棒とを、前記夫々の空間に各別に設けたことを特徴とする。
【０００８】
【発明の実施の形態】
以下、本発明の実施の形態の１例を図に基づいて説明する。
【０００９】
図１は折畳式踏台の使用状態を示す斜視図、図２は係止棒で回転軸を固定させた状態を示す要部の一部切欠平面図、図３は係止棒より回転軸を解放した状態を示す要部の一部切欠斜視図、図４は対向する踏ざん間に鋼帯を架設固定した状態を示す説明図である。これらの図において、アルミニウム合金製の踏台１は、左右一対の前支柱２と、左右１対の後支柱３と、複数の踏ざん４、５を有して構成されている。
【００１０】
各踏ざん４、４１、５、５１には、上部に踏面６、７を具備し、この踏面６、７には表面に凹凸を形成したり、ゴム製シートを固着する等の滑り止め手段を有させることが考えられる。踏面６、７のうち最上位置の踏面６、７は、他の踏面６、７よりも幅広に形成されている。
【００１１】
後支柱３の踏ざん５、５１のうち中段部位に位置する踏ざん５１には鋼帯収納ケース８を設けている。図２及び図３に示すように、鋼帯収納ケース８は内部が複数の隔壁９、１０、１１により区切られ、これら隔壁９、１０、１１及び鋼帯収納ケース８の一方の側壁には左右方向の同一直線上に穿孔が設けられいる。隔壁９、１０の穿孔には回転軸１２が遊挿されている。鋼帯１３は、内端が回転軸１２に固着されて回転軸１２に巻き付けられており、外端には係止部１４を具備している。鋼帯１３の材質、幅、厚み等は任意である。鋼帯１３と隣接して隔壁９と鋼帯収納ケース８の側壁とで囲まれた空間には、内端が回転軸１２に固着され鋼帯１３と同一方向に巻き付けられ、外端が鋼帯収納ケース８の内壁に固着された渦巻ばね１５を設けている。図３に示すように、回転軸１２の一端は鋼帯収納ケース８内の隔壁１０、１１間に於いて係止棒１６の内端と係合するための係止溝１７が凹設されている。係止棒１６は隔壁１１の穿孔及び鋼帯収納ケース８の一方の側壁に設けられた穿孔に回転可能に挿通され、内端には係止溝１７と結合する係止突起１８を連設し、外端には把持部１９を設けている。係止棒１６のうち鋼帯収納ケース８の側壁と隔壁１１とで囲まれた空間に位置する部分には、蔓巻きばね２０が取り付けられる。蔓巻きばね２０は内端が係止棒１６に固着され、外端は鋼帯収納ケース８の内壁に固着されている。又、係止棒１６に於ける鋼帯収納ケース８の外側には、側方に突出する係止爪２１を設け、鋼帯収納ケース８の外側壁に設けた係止具２２の係止溝２３に係合可能に形成されている。
【００１２】
踏ざん５１と対設する前支柱２の踏ざん４１には係止部１４が係合する係合孔を有する取付板２４が設けられている。
【００１３】
次に作用について説明する。前支柱２と後支柱３の下部を所望の開きに拡開した状態で、図３に示すように、係止爪２１を係止溝２３より離脱し、かつ係止棒１６から回転軸１２を解放する。係止部１４を前方向に引っ張ると、鋼帯１３は鋼帯収納ケース８より前方に伸長する。回転軸１２は鋼帯１３が繰り出される方向に回転し、渦巻ばね１５は回転軸１２に巻着される。係止部１４を取付板２４の係合孔に係合し、係止棒１６を鋼帯１３の方向に移動させ、係止溝１７に係止突起１８を係合すると共に係止爪２１を停止溝２３に係合すると、回転軸１２が固定され、ひいては鋼帯１３の位置も固定され、前後支柱２、３下部の拡開状態は安定的に保持される。不使用時は、取付板２４より係止部１４を離脱し、係止部１４を自由にすると共に、回転軸１２を係止棒１６から解放すると、渦巻ばね１５は復元し、この復元力に伴い回転軸１２は鋼帯１３を繰り出す時とは反対方向に回転し、鋼帯１３を回転軸１２に巻き取り、鋼帯収納ケース８の内部に収納する。前後支柱の下部は近接させて任意の保管場所にて保管収納する。
【００１４】
図５〜図７に示される実施の形態について説明する。本実施の形態では、踏ざん５１を鋼帯収納ケースとしての作用をなすために、踏ざん５１は踏面７と鋼帯収納ケース８とより構成されている。踏面７を鋼帯収納ケース８の上側壁とし、把持部１９をＬ字形に形成している。前支柱２の踏ざん４１の背面には、係止部１４を係合するための係合孔を穿設している。他の構成は前述の図１〜図４に示される実施の形態と同様である。
【００１５】
【発明の効果】
本発明は、対向する踏ざん間に鋼帯を架設し、渦巻ばねを取り付けた回転軸の回転を停止させることで前後支柱の拡開状態を安定的に保持し、不使用時には、回転軸及び鋼帯の外端を自由にし、渦巻ばねの復元力で鋼帯収納ケースに巻き取り収納する構成であるので、踏ざん間の拡開距離により前後支柱の接地面の設置場所を自由に選択でき、しかも鋼帯で前後支柱の拡開状態を固定するための設置場所の地表面形状を選ぶことなくあらゆる形状の地表面に設置でき、しかも高さの微調整も可能であるという効果がある。
【図面の簡単な説明】
【図１】使用状態を示す斜視図である。
【図２】回転軸を停止棒により固定された状態における要部を示す一部切欠平面図である。
【図３】回転軸を停止棒から解放した状態における要部を示す一部切欠斜視図である。
【図４】対向する踏ざん間に鋼帯を架設した状態を示す一部省略説明図である。
【図５】他の実施の形態の要部を示す説明図である。
【図６】図５のＡ−Ａ線断面図である。
【図７】使用状態を示す斜視図である。
【図８】従来例を示す説明図である。
【符号の説明】
１  踏台
２  前支柱
３  後支柱
４、５、４１、５１  踏ざん
８  鋼帯収納ケース
１２  回転軸
１３  鋼帯
１４  係止部
【図１】
0003661023.tif 000002
【図２】
0003661023.tif 000003
【図３】
0003661023.tif 000004
【図４】
0003661023.tif 000005
【図５】
0003661023.tif 000006
【図６】
0003661023.tif 000007
【図７】
0003661023.tif 000008
【図８】
0003661023.tif 000009